(57)【要約】【課題】安価な価格での提供が可能で、且つ、短銃な構造を備える伝送モジュールとそれを用いた電子システムの提供が可能な技術の提供を目的とする。【解決手段】エミッタ装置、第一反射装置、及び、第二反射装置、からなる伝送モジュールが開示される。エミッタ装置は光線を発射する。第一反射装置は光線を反射して、第一反射光を生成する。第二反射装置は光線を反射して、第二反射光を生成する。第一反射光のエネルギーは、第二反射光のエネルギーと異なる。【選択図】図１
2011061782.tif 000002
【特許請求の範囲】
【請求項１】
伝送モジュールであって、
当該伝送モジュールは、光線を発射するエミッタ装置と、当該光線を反射して第一反射光を生成する第一反射装置と、前記光線を反射して第二反射光を生成する第二反射装置とからなり、
当該第一反射光のエネルギーと当該第二反射光のエネルギーとが異なることを特徴とする伝送モジュール。
【請求項２】
前記光線は、赤外線又はレーザー光であり、
前記第一反射装置及び第二反射装置は、エミッタ装置から発射した光線を所望の方向に反射するための鏡面又は導光面を備えることを特徴とする請求項１に記載の伝送モジュール。  
【請求項３】
前記第一反射装置の鏡面又は導光面の備える反射率、反射面積及び材質の各要素と、前記第二反射装置の鏡面又は導光面の備える当該各要素の全てが異なるものである請求項１又は請求項２に記載の伝送モジュール。
【請求項４】
前記第一反射装置及び第二反射装置との配置面と、前記エミッタ装置の配置面とが離間して対向配置されたことを特徴とする請求項１〜請求項３のいずれかに記載の伝送モジュール。
【請求項５】
横方向から見た場合に水平なエミッタ装置の配置面を基準として、当該配置面と前記第一反射装置の鏡面又は導光面との交差角度を第一角度とし、
当該配置面と前記第二反射装置の鏡面又は導光面との交差角度を第二角度とした場合において、当該第一角度と当該第二角度とが相違した角度を備えるものである請求項１〜請求項４のいずれかに記載の伝送モジュール。
【請求項６】
前記第一反射光及び第二反射光は、放射状光線であり、且つ、その投影形状が円形となるものである請求項１〜請求項５のいずれかに記載の伝送モジュール。
【請求項７】
伝送モジュールであって、
光線の発射又は光線の受光を行うものであり、前者の場合には第一光線の発射を行い、後者の場合には第一反射光の受光器として機能するものである第一制御装置と、
前記第一制御装置が前記第一光線を発射する場合に第二光線を発射し、前記第一制御装置が前記第一反射光を受ける場合には第二反射光を受ける第二制御装置と、
前記第一制御装置に対向して設置され、第一マッピング範囲を有し、前記第一マッピング範囲は前記第一制御装置を被覆する第一反射装置と、
前記第二制御装置に対向して設置され、第二マッピング範囲を有し、前記第二マッピング範囲は第二制御装置を被覆する第二反射装置と、からなることを特徴とする伝送モジュール。
【請求項８】
前記第一制御装置が前記第一光線を発射する時、前記第一反射装置は前記第一光線を反射して、第三光線を生成し、前記第二制御装置が前記第二光線を発射する時、前記第二反射装置は前記第二光線を反射して、第四光線を生成することを特徴とする請求項７に記載の伝送モジュール。
【請求項９】
前記第一光線のエネルギーは前記第二光線と異なることを特徴とする請求項８に記載の伝送モジュール。
【請求項１０】
更に、前記第一、第二反射装置間に、隔離装置を有し、前記第二光線が前記第三光線に影響されるのを防止し、前記第一光線が前記第四光線に影響されるのを防止することを特徴とする請求項８に記載の伝送モジュール。
【請求項１１】
前記第三、前記第四光線は放射状光線で、前記第三、第四光線の範囲は円形光を形成することを特徴とする請求項８に記載の伝送モジュール。
【請求項１２】
前記第一反射装置は前記第一平面上に位置し、前記第二反射装置は前記第一平面から独立した第二平面上に位置することを特徴とする請求項７に記載の伝送モジュール。
【請求項１３】
前記第一反射装置が第一外部光線を反射して、前記第一反射光線を生成する時、前記第一制御装置は前記第一反射光を受け、前記第二反射装置が第二外部光を反射して、前記第二反射光を生成する時、前記第二制御装置は前記第二反射光を受けることを特徴とする請求項７に記載の伝送モジュール。
【請求項１４】
更に、前記第一、第二反射装置間に、隔離装置を有し、前記第一反射装置が前記第二外部光を反射するのを防止し、前記第二反射装置が前記第一外部光を反射するのを防止することを特徴とする請求項１３に記載の伝送モジュール。
【請求項１５】
前記第一制御装置は、前記第一反射光に従って、前記第一外部光と前記伝送モジュール間の距離を得ることを特徴とする請求項１３に記載の伝送モジュール。
【請求項１６】
前記第一、第二反射装置は、鏡面か導光板であることを特徴とする請求項７に記載の伝送モジュール。
【請求項１７】
前記第一反射装置の反射率は前記第二反射装置と同じで、前記第一反射装置の反射面積は前記第二反射装置と同じであることを特徴とする請求項１６に記載の伝送モジュール。
【請求項１８】
前記第一反射装置は第一角度を有し、前記第二反射装置は第二角度を有し、前記第一角度は前記第二角度と同じであることを特徴とする請求項１６に記載の伝送モジュール。
【請求項１９】
電子システムであって、前記請求項１の伝送モジュールと、受信モジュールとからなり、
前記伝送モジュールは、光線を発射するエミッタ装置と、前記光線を反射し、第一反射光を生成する第一反射装置と、前記光線を反射し、第二反射光を生成する第二反射装置と、
からなり、前記第一反射光のエネルギーは前記第二反射光と異なり、前記受信モジュールは、前記第一、第二反射光を受け、及び、処理して、前記伝送モジュールの位置を得ることを特徴とする電子システム。
【請求項２０】
電子システムであって、
前記請求項７の伝送モジュールからなり、
光線の発射又は光線の受光を行うものであり、前者の場合には第一光線の発射を行い、後者の場合には第一反射光の受光器として機能するものである第一制御装置と、
前記第一制御装置が前記第一光線を発射する場合に第二光線を発射し、前記第一制御装置が前記第一反射光を受ける場合には第二反射光を受ける第二制御装置と、
前記第一制御装置に対向して設置され、第一マッピング範囲を有し、前記第一マッピング範囲は前記第一制御装置を被覆する第一反射装置と、
前記第二制御装置に対向して設置され、第二マッピング範囲を有し、前記第二マッピング範囲は前記第二制御装置を被覆する第二反射装置と、
前記第一制御装置が前記第一光線を発射する時、光線を受け、前記第一制御装置が前記第一反射光を受ける時、光線を発射する第三制御装置と、
からなることを特徴とする電子システム。
【発明の詳細な説明】
【技術分野】
【０００１】
本発明は、伝送モジュールに関するものであって、特に、ワイヤレス通信機能を有する伝送モジュールに関するものである。
【背景技術】
【０００２】
近年、通信技術は、ネットワークゲーム、ネットワーク電話などの様々な領域に適用されている。データ伝送に用いられる公知の伝送ワイヤには、特許文献１に開示されているような同軸ケーブル（ｃｏａｘｉａｌ  ｃａｂｌｅｓ）、特許文献２に開示されているようなツイストペアワイヤ（ｔｗｉｓｔｅｄ−ｐａｉｒ  ｗｉｒｅｓ  ）、及び、特許文献３に開示されているような光ファイバー（ｏｐｔｉｃａｌ  ｆｉｂｅｒｓ）があることが知られている。
【０００３】
同軸ケーブルは、特許文献１の記載内容からも理解できるように、一般的に、文字、画像、動画等の幅広いデータの伝送用途に使用されている。ところが、この同軸ケーブルは、製造プロセスが複雑であり、製造コストの削減に限界があるため、製品価格が高価となるという欠点がある。
【０００４】
そして、ツイストペアワイヤは、特許文献２の記載内容から理解できるように、一般的には電話回線用の伝送ワイヤとして使用されることが多い。このツイストペアワイヤの欠点としては、データの伝送速度が遅く、しかも伝送シグナルが電気的ノイズにより影響されやすく、情報伝送の安定性に欠けることが指摘されている。
【０００５】
これらの欠点を解消するものとして、特許文献３に開示されているように、データ伝送用ワイヤとして光ファイバーを用いることが検討されてきた。
【先行技術文献】
【特許文献】
【０００６】
【特許文献１】特開２００５−１７６０００号公報
【特許文献２】特表２０１０−５２７１１７号公報
【特許文献３】ＷＯ０１／０９９３２３号公報
【発明の概要】
【発明が解決しようとする課題】
【０００７】
しかしながら、特許文献３に開示されているような光ファイバーは、情報を伝達する伝送速度は極めて早いが、伝送される情報が、比較的に周囲の環境ノイズにより影響を受け易いと言われている。そして、この光ファイバーの場合には、その導入価格も高価で、接続機器も複雑な構造が要求される。
【０００８】
以上のことから、本発明は、安価な価格での提供が可能で、且つ、短銃な構造を備える伝送モジュールとそれを用いた電子システムの提供が可能な技術の提供を目的とする。
【課題を解決するための手段】
【０００９】
伝送モジュール：  本件発明に係る伝送モジュールは、光線を発射するエミッタ装置と、当該光線を反射して第一反射光を生成する第一反射装置と、前記光線を反射して第二反射光を生成する第二反射装置とからなり、当該第一反射光のエネルギーと当該第二反射光のエネルギーとが異なることを特徴とする。
【００１０】
本件発明に係る伝送モジュールにおいて、前記光線は、赤外線又はレーザー光であり、前記第一反射装置及び第二反射装置は、エミッタ装置から発射した光線を所望の方向に反射するための鏡面又は導光面を備えることを特徴とすることが好ましい。
【００１１】
本件発明に係る伝送モジュールにおいて、前記第一反射装置の鏡面又は導光面の備える反射率、反射面積及び材質の各要素と、前記第二反射装置の鏡面又は導光面の備える当該各要素の全てが異なることが好ましい。
【００１２】
本件発明に係る伝送モジュールにおいて、前記第一反射装置及び第二反射装置との配置面と、前記エミッタ装置の配置面とが離間して対向配置されたことを特徴とすることが好ましい。
【００１３】
本件発明に係る伝送モジュールにおいて、横方向から見た場合に水平なエミッタ装置の配置面を基準として、当該配置面と前記第一反射装置の鏡面又は導光面との交差角度を第一角度とし、当該配置面と前記第二反射装置の鏡面又は導光面との交差角度を第二角度とした場合において、当該第一角度と当該第二角度とが相違した角度を備えることが好ましい。
【００１４】
本件発明に係る伝送モジュールにおいて、前記第一反射光及び第二反射光は、放射状光線であり、且つ、その投影形状が円形となることが好ましい。
【００１５】
本件発明に係る伝送モジュールにおいて、「光線の発射又は光線の受光を行うものであり、前者の場合には第一光線の発射を行い、後者の場合には第一反射光の受光器として機能するものである第一制御装置」と、「前記第一制御装置が前記第一光線を発射する場合に第二光線を発射し、前記第一制御装置が前記第一反射光を受ける場合には第二反射光を受ける第二制御装置」と、「前記第一制御装置に対向して設置され、第一マッピング範囲を有し、前記第一マッピング範囲は前記第一制御装置を被覆する第一反射装置」と、「前記第二制御装置に対向して設置され、第二マッピング範囲を有し、前記第二マッピング範囲は第二制御装置を被覆する第二反射装置」と、からなることを特徴とすることが好ましい。
【００１６】
本件発明に係る伝送モジュールにおいて、前記第一制御装置が前記第一光線を発射する時、前記第一反射装置は前記第一光線を反射して、第三光線を生成し、前記第二制御装置が前記第二光線を発射する時、前記第二反射装置は前記第二光線を反射して、第四光線を生成することが好ましい。
【００１７】
本件発明に係る伝送モジュールにおいて、前記第一光線のエネルギーは前記第二光線と異なることが好ましい。
【００１８】
本件発明に係る伝送モジュールにおいて、更に、前記第一、第二反射装置間に、隔離装置を有し、前記第二光線が前記第三光線に影響されるのを防止し、前記第一光線が前記第四光線に影響されるのを防止することが好ましい。
【００１９】
本件発明に係る伝送モジュールにおいて、前記第三、前記第四光線は放射状光線で、前記第三、第四光線の範囲は円形光を形成することが好ましい。
【００２０】
本件発明に係る伝送モジュールにおいて、前記第一反射装置は前記第一平面上に位置し、前記第二反射装置は前記第一平面から独立した第二平面上に位置することが好ましい。
【００２１】
本件発明に係る伝送モジュールにおいて、前記第一反射装置が第一外部光線を反射して、前記第一反射光線を生成する時、前記第一制御装置は前記第一反射光を受け、前記第二反射装置が第二外部光を反射して、前記第二反射光を生成する時、前記第二制御装置は前記第二反射光を受けることが好ましい。
【００２２】
本件発明に係る伝送モジュールにおいて、更に、前記第一、第二反射装置間に、隔離装置を有し、前記第一反射装置が前記第二外部光を反射するのを防止し、前記第二反射装置が前記第一外部光を反射するのを防止することが好ましい。
【００２３】
本件発明に係る伝送モジュールにおいて、前記第一制御装置は、前記第一反射光に従って、前記第一外部光と前記伝送モジュール間の距離を得ることが好ましい。
【００２４】
本件発明に係る伝送モジュールにおいて、前記第一、第二反射装置は、鏡面か導光板であることが好ましい。
【００２５】
本件発明に係る伝送モジュールにおいて、前記第一反射装置の反射率は前記第二反射装置と同じで、前記第一反射装置の反射面積は前記第二反射装置と同じであることが好ましい。
【００２６】
本件発明に係る伝送モジュールにおいて、前記第一反射装置は第一角度を有し、前記第二反射装置は第二角度を有し、前記第一角度は前記第二角度と同じであることが好ましい。
【００２７】
電子システム：  本件発明に係る電子システムは、上述の伝送モジュールと、受信モジュールとからなり、前記伝送モジュールは、光線を発射するエミッタ装置と、前記光線を反射し、第一反射光を生成する第一反射装置と、前記光線を反射し、第二反射光を生成する第二反射装置とからなり、前記第一反射光のエネルギーは前記第二反射光と異なり、前記受信モジュールは、前記第一、第二反射光を受け、及び、処理して、前記伝送モジュールの位置を得ることを特徴とするものである。
【００２８】
本件発明に係る電子システムにおいて、上述の伝送モジュールからなり、「光線の発射又は光線の受光を行うものであり、前者の場合には第一光線の発射を行い、後者の場合には第一反射光の受光器として機能するものである第一制御装置」と、「前記第一制御装置が前記第一光線を発射する場合に第二光線を発射し、前記第一制御装置が前記第一反射光を受ける場合には第二反射光を受ける第二制御装置」と、「前記第一制御装置に対向して設置され、第一マッピング範囲を有し、前記第一マッピング範囲は前記第一制御装置を被覆する第一反射装置」と、「前記第二制御装置に対向して設置され、第二マッピング範囲を有し、前記第二マッピング範囲は前記第二制御装置を被覆する第二反射装置」と、「前記第一制御装置が前記第一光線を発射する時、光線を受け、前記第一制御装置が前記第一反射光を受ける時、光線を発射する第三制御装置」と、からなることが好ましい。
【００２９】
以上に述べてきた本件発明の内容を、更に要約すると、以下のように特徴をまとめられる。即ち、本件発明においては、伝送モジュールが提供される。伝送モジュールの具体例は、エミッタ装置、第一反射装置、及び、第二反射装置、からなる。エミッタ装置は光線を発射する。第一反射装置は光線を反射して、第一反射光を生成する。第二反射装置は光線を反射して、第二反射光を生成する。第一反射光のエネルギーは、第二反射光のエネルギーと異なる。
【００３０】
伝送モジュールの別の具体例は、第一制御装置と、第二制御装置と、第一反射装置と、第二反射装置と、からなる。第一制御装置は第一光線を発射するか、第一反射光を受ける。第一制御装置が第一光線を発射する時、第二制御装置は第二光線を発射する。第一制御装置が第一反射光を受ける時、第二制御装置は第二反射光を受ける。第一反射装置は第一制御装置に対向して設置され、第一マッピング範囲を有する。第一範囲は第一制御装置を被覆する。第二反射装置は第二制御装置に対向して設置され、第二マッピング範囲を有する。第二範囲は第二制御装置を被覆する。
【００３１】
電子システムが提供される。電子システムの具体例は、発光モジュールと受信モジュールと、からなる。発光モジュールは、エミッタ装置と、第一反射装置と、第二反射装置と、からなる。エミッタ装置は光線を発射する。第一反射装置は光線を反射して、第一反射光を生成する。第二反射装置は光線を反射して、第二反射光を生成する。第一反射光のエネルギーは、第二反射光のエネルギーと異なる。受信モジュールは第一、第二反射光を受け、処理して、発光モジュールの位置を得る。
【００３２】
電子システムの別の具体例は、第一制御装置と、第二制御装置と、第一反射装置と、第二反射装置と、第三反射装置と、からなる。第一制御装置は第一光線を発射するか、第一反射光を受ける。第一制御装置が第一光線を発射する時、第二制御装置は第二光線を発射し、第一制御装置が第一反射光を受ける時、第二制御装置は第二反射光を受ける。第一反射装置は第一制御装置に対向して設置され、第一マッピング範囲を有する。第一範囲は第一制御装置を被覆する。第二反射装置は第二制御装置に対向して設置され、第二マッピング範囲を有する。第二範囲は第二制御装置を被覆する。第一制御装置が第一光線を発射する時、第三制御装置は光線を受け、第一制御装置が第一反射光を受ける時、第三制御装置は光線を発射する。
【発明の効果】
【００３３】
本発明に係る伝送モジュールは、伝送信号のノイズを小さくでき、且つ、安価な製造コストで製造可能な製品である。
【図面の簡単な説明】
【００３４】
【図１】本発明の具体例による伝送モジュールを示す図である。
【図２】反射装置の具体例の上視図である。
【図３】反射装置の具体例を示す図である。
【図４】本発明の別の具体例による伝送モジュールを示す図である。
【図５】本発明の別の具体例による伝送モジュールを示す図である。
【図６】様々な反射装置を示す図である。
【図７】様々な制御装置を示す図である。
【図８】別の具体例による伝送モジュールを示す図である。
【図９】別の具体例による電子システムを示す図である。
【発明を実施するための形態】
【００３５】
図１は、本発明の具体例による伝送モジュールを示す図である。伝送モジュール１００は、エミッタ装置１１０、反射装置１３０、１５０、からなる。エミッタ装置１１０は光線Ｌ１１０を発射する。反射装置１３０、１５０はエミッタ装置１１０に対向して位置し、光線Ｌ１１０を反射する。本具体例中、反射装置１３０は、光線Ｌ１１０を反射して、反射光Ｌ１３０を生成する。反射装置１５０は光線Ｌ１１０を反射して、第二反射光Ｌ１５０を生成する。反射光Ｌ１５０のエネルギーは、反射光Ｌ１３０のエネルギーと異なる。
【００３６】
反射装置１３０と１５０材質、反射率、或いは、反射面積を制御することにより、反射光Ｌ１５０のエネルギーは光線Ｌ１３０のエネルギーと異なる。また、反射装置１３０は角度θ１を有し、反射装置１５０は角度θ２を有する。反射光Ｌ１５０のエネルギーは、角度θ１とθ２を制御することにより、反射光Ｌ１３０のエネルギーと異なる。
【００３７】
本発明は、用いる反射装置１３０と１５０の種類を限定しない。ある具体例中、反射装置１３０と１５０は鏡面か導光板である。本発明は、用いる発光装置１１０の種類を限定しない。本具体例中、発光装置１１０により発射される光線Ｌ１１０は赤外線かレーザ光である。
【００３８】
図２は、反射装置１３０と１５０の上視図である。反射装置１３０と１５０は、ほぼ円形を構成する。本具体例中、隔離構造１７０は、反射装置１３０と１５０間に設置されるので、反射装置１３０は、それぞれ、独立した平面上に位置する。
【００３９】
一具体例中、隔離構造１７０は、反射装置１３０と１５０を分離するギャップである。隔離構造１７０は必要なものではなく、他の具体例では、選択的に除去される。
【００４０】
更に、本発明は、用いる反射装置の数量を限定しない。本具体例中、伝送装置１００は、二個の反射装置からなる。別の具体例で、伝送装置１００は、図６で示されるように、少なくとも３個の反射装置からなる。図６は、様々な反射装置ＭＲ１〜ＭＲ８を示す。反射装置の数量が増加する時、異なるエネルギーを有する反射光の数量も増加する。
【００４１】
反射装置の材質、反射率、反射面積、或いは、角度を制御することにより、各反射光は特定のエネルギーを有することができる。外部の受信器が伝送モジュール１００から発射される反射光を受ける時、外部の受信器は、反射光のエネルギーに従って、伝送モジュール１００の位置を得る。
【００４２】
図３は、反射光Ｌ１３０とＬ１５０を示す図である。反射光は、それぞれ、放射状光線である。反射光Ｌ１３０とＬ１５０の放射能のある範囲は円形光（ｃｉｒｃｕｌａｒ  ｌｉｇｈｔ）を構成する。図３の斜線は円形光を示す。よって、外部受信器は、伝送モジュール１００から発射される反射光Ｌ１３０とＬ１５０を容易に受けることができる。
【００４３】
図４は、本発明の別の具体例による伝送モジュールを示す図である。伝送モジュール２００は、制御装置２１０、２３０、及び、反射装置２５０、２７０からなる。制御装置２１０と２３０の機能は同じである。本発明は、制御装置２１０と２３０の機能を限定しない。一具体例中、制御装置２１０と２３０は、光線発射機能を有する。例えば、制御装置２１０が第一光線を発射する時、制御装置２１０は第二光線を発射する。別の具体例中、制御装置２１０と２３０は、光線を受ける機能を有する。例えば、制御装置２１０が第一反射光を受ける時、制御装置２１０は、第二反射光を受ける。制御装置２１０と２３０、及び、反射装置２５０と２７０の動作原理は以下で示す。
【００４４】
本具体例中、反射装置２５０は制御装置２１０に対向して設置される。ここで、図５には、最初から光線を発射することを設定したものであり、光線を発射する機能を備える場合を示している。この場合、第一制御装置は第一光線を発射し、第二制御装置は第二光線を発射することになり、前記第一光線を反射する第一反射装置は、第一制御装置に対向して設置され、前記第一反射装置の第一マッピング範囲が第一制御装置を被覆した状態となる。そして、前記第二光線を反射する第二反射装置は、第二制御装置に対向して設置され、前記第二反射装置の第二マッピング範囲が第二制御装置を被覆した状態となる。この図５を参照すると、反射装置２５０のマッピング範囲Ｐ３５０は制御装置２１０を被覆する。図４で示されるように、反射装置２５０は、制御装置２１０から発射される光線Ｌ２１０を反射するか、或いは、反射光Ｌ２５０を制御装置２１０に伝送することができる。本具体例中、反射装置２５０のマッピング範囲は制御装置２５０だけを被覆する。よって、反射装置２５０は、光線Ｌ２３０を反射しないか、或いは、制御装置２３０に反射光Ｌ２５０を伝送しない。
【００４５】
反射装置２７０は、制御装置２３０に対向して設置される。図５で示されるように、反射装置２７０のマッピング範囲Ｐ３７０は制御装置２３０を被覆する。図４を参照すると、反射装置２７０は、制御装置２３０から発射される光線Ｌ２３０を反射するか、或いは、反射光Ｌ２７０を制御装置２３０に伝送することができる。本具体例中、反射装置２７０は、光線Ｌ２１０を反射しないか、或いは、制御装置２１０に反射光Ｌ２７０を伝送しない。反射装置２５０、或いは、２７０は、鏡面か導光板である。
【００４６】
図５は、本発明の別の具体例による伝送モジュールを示す図である。本具体例中、制御装置２１０はエミッタ３１０で、制御装置２３０はエミッタ３３０である。エミッタ３１０は光線Ｌ３１０を発射し、エミッタ３３０は光線Ｌ３３０を発射する。光線Ｌ３１０のコードは光線Ｌ３３０のコードと異なる。反射装置３５０は光線Ｌ３１０を反射し、反射装置３７０は光線Ｌ３３０を反射する。また、制御装置２１０は反射装置３５０のマッピング範囲Ｐ３５０内に位置し、制御装置２３０は、反射装置３７０のマッピング範囲Ｐ３７０内に位置する。
【００４７】
エミッタ３１０は、第一発光周波数に従って、光線Ｌ３１０を発射し、エミッタ３３０は、第二発光周波数に従って、光線Ｌ３３０を発射する。よって、光線Ｌ３１０のコードは、第一、第二発光周波数を制御することにより、光線Ｌ３３０のコードと異なる。例えば、エミッタ３１０が、第一発光周波数に従って、光線Ｌ３１０を発射する時、光線Ｌ３１０はコード０を含む。エミッタ３３０が、第二発光周波数に従って、光線Ｌ３３０を発射するとき、光線Ｌ３３０はコード１を含む。
【００４８】
光線Ｌ３１０のコードが光線Ｌ３３０のコードと異なるので、反射光Ｐ３５０のコードは、反射光Ｐ３７０のコードと異なる。よって、外部受信器が反射光Ｐ３５０とＰ３７０を受ける時、外部受信器は、反射光Ｐ３５０とＰ３７０のコードに従って、伝送モジュール３００の位置を得ることができる。
【００４９】
よって、外部受信器は伝送モジュール３００に接近する時、外部受信器は、強い反射光を受けることができる。外部受信器が伝送モジュール３００から離れる時、外部受信器により受信される反射光は弱い。よって、外部受信器は、受信された反射光の強度に基づいて、伝送モジュール３００と５００間の距離を得ることができる。
【００５０】
図５で示されるように、隔離装置３９０が、反射装置３５０と３７０間に設置される。隔離装置３９０は、光線Ｌ３３０が、反射光Ｐ３５０に影響を及ぼすのを防止し、光線Ｌ３１０が、Ｐ３７０に影響を及ぼすのを防止する。反射装置３５０と３７０は、隔離装置３７０により、異なる面上に独立して設置される。言い換えると、反射装置３５０は反射装置３７０に接触しない。別の具体例中、反射装置３５０は反射装置３７０と接触する。この場合、隔離装置３９０（例えば、仕切り）が用いられて、異なる反射面積を得る。
【００５１】
本具体例中、伝送モジュール３００は、二個の制御装置と二個の反射装置を有するが、これに限定されない。ある具体例中、制御装置と反射装置の数量は二個以上で、制御装置の数量は反射装置の数量に等しい。
【００５２】
図６は、本発明の様々な反射装置の具体例を示す図である。反射装置ＭＲ１〜ＭＲ８は円形に配置される。反射装置ＭＲ１〜ＭＲ８は、異なる面に、独立して設置される。よって、反射装置ＭＲ１〜ＭＲ８は互いに接触しない。
【００５３】
例えば、反射装置ＭＲ１は反射装置ＭＲ２〜ＭＲ８に接触しない。同様に、反射装置ＭＲ８は反射装置ＭＲ１〜ＭＲ７に接触しない。別の具体例中、反射装置ＭＲ１〜ＭＲ８は互いに接触するが、仕切りが隣接する反射装置間に設置されて、異なる反射面積を得る。
【００５４】
各反射面積は一制御装置に対応する。よって、反射装置が図６のように配置されるとき、制御装置は、図７のように配置される。図７を参照すると、制御装置ＥＭ１〜ＥＭ８は円形に配置される。各制御装置は、対応する反射装置のマッピング範囲中に設置される。
【００５５】
本具体例中、制御装置ＥＭ１〜ＥＭ８により発射される光線のコードは異なる。更に、制御装置ＥＭ１〜ＥＭ８により発射される光線は放射状光線で、光線の放射範囲は図３と同じ円形光を形成する。
【００５６】
図８は、伝送モジュールの別の具体例を示す図である。この図８においては、光線を受光する場合を示しており、光線を受光するように用いた場合である。この場合、第一制御装置は第一反射光を受光し、第二制御装置は第二反射光を受光する。そして、外部からの光を受けて反射する第一反射装置は、第一制御装置に対向して設置され、前記第一反射装置の第一マッピング範囲が第一制御装置を被覆する状態となっている。また、外部からの光を受けて反射する第二反射装置は、第二制御装置に対向して設置され、前記第二反射装置の第二マッピング範囲が第二制御装置を被覆する状態となっている。この図８に示した具体例中において、制御装置２１０はレシーバ４１０で、制御装置２３０はレシーバ４３０である。反射装置４５０は外部光Ｌ１を反射して、反射光Ｌ４５０を受信器４１０に生成する。反射装置４７０は外部光Ｌ２を反射して、受信器４３０に反射光Ｌ４７０を生成する。
【００５７】
一具体例中、光線Ｌ１とＬ２は外部エミッタにより発射される。外部エミッタは異なる位置に設置されるので、一反射装置（４５０か４７０）は、外部光（Ｌ１かＬ２）を受ける。対応する受信器（４１０か４３０）が対応する反射光（Ｌ４５０か  Ｌ４７０）を受ける時、外部エミッタの位置が得られる。
【００５８】
別の具体例中、反射装置４５０は外部光Ｌ１を受け、同時に、反射装置４７０が外部光Ｌ２を受ける。この場合、外部光Ｌ１とＬ２のエネルギー、或いは、コードは異なる。一具体例中、外部光Ｌ１とＬ２は、反射光Ｌ３５０とＬ３７０である。よって、反射装置４５０と４７０が、外部エミッタにより発射される外部光Ｌ１とＬ２を反射する時、受信器４１０と４３０は、受信した反射光Ｌ４５０とＬ４７０のエネルギー、或いは、コードに従って、外部エミッタの位置を得る。更に、外部エミッタと伝送モジュール４００間の距離は、受信された反射光Ｌ４５０とＬ４７０のエネルギーかコードに従って得られる。
【００５９】
外部光Ｌ１とＬ２を受信器４１０と４３０に十分に反射させるため、反射装置４５０の材質、反射率、反射面積、或いは、角度は反射装置４７０と同じである。更に、隔離装置４９０は、反射装置４５０と４７０間に設置されて、反射装置４５０が、外部光Ｌ２を受けるのを防止し、反射装置４７０が外部光線Ｌ１を受けるのを防止する。
【００６０】
図９は、本発明の別の具体例による電子システムを示す図である。電子システム５００は、発光モジュール５１０と受信モジュール５３０からなる。発光モジュール５１０と受信モジュール５３０は無線方法を用いて、互いに通信する。本具体例中、発光モジュール５１０は光線Ｌ５１１〜Ｌ５１４を発射する。受信モジュール５３０は光線Ｌ５１１〜Ｌ５１４を受け、受信結果に基づいて、発光モジュール５１０の位置を得る。
【００６１】
本具体例中、光線Ｌ５１１〜Ｌ５１４は放射状光線で、光線Ｌ５１１〜Ｌ５１４の放射範囲は円形光である。一具体例中、発光モジュール５１０の位置は固定である。受信モジュール５３０の位置は、能動的に変化するか、或いは、受動的（ユーザーにより）に変化される。
【００６２】
受信モジュール５３０は、受信光に従って、発光モジュール５１０の位置を得る。例えば、受信モジュール５３０が光線Ｌ５１１を受けるとき、発光モジュール５１０が受信モジュール５３０の右側に位置することが分かる。更に、受信モジュール５３０は、受信光の強度に従って、発光モジュール５１０と受信モジュール５３０間の距離を得る。
【００６３】
一具体例中、発光モジュール５１０は、図１か図５で示される伝送モジュール１００、或いは、３００である。この場合、受信モジュール５３０は図８で示される伝送モジュール４００であるが、これに限定されない。ある具体例中、発光モジュール５１０が伝送モジュール１００か３００である時、他の受信器が受信モジュール５３０として機能する。
【００６４】
別の具体例中、受信モジュール５３０は図８で示される伝送モジュール４００である。この場合、発光モジュール５１０は一般の光発射器である。伝送モジュール４００は、受信器４１０、４３０、及び、反射装置４５０、４７０を有するので、発光モジュール５１０の位置は、受信器４１０と４３０の受信結果に従って得られる。
【００６５】
伝送モジュールは、図１で示されるような複数の反射装置と単一の発光装置からなるか、或いは、図５で示されるような複数の反射装置と複数の発光装置からなり、異なるエネルギー、或いは、異なるコードを有する様々な光線が反射される。一外部受信器は、反射装置により生成される反射光に従って、伝送モジュールの位置を得る。
【００６６】
よって、伝送モジュールが図８で示されるような複数の反射装置と複数の受信器からなる時、外部エミッタの位置、或いは、外部エミッタと伝送モジュールの距離は、各レシーバの受信結果に従って決定される。
【００６７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【産業上の利用可能性】
【００６８】
本発明に係る伝送モジュールとその電子システムを使用することで、伝送信号のノイズを大幅に減少させることが出来る。よって、高品質の信号伝送が可能となるため、電子・電気機器の誤動作を大幅に減少させることが可能となる。
【符号の説明】
【００６９】
伝送モジュール：１００、２００、３００、４００
エミッタ：１１０、３１０、３３０
反射装置：１３０、１５０、２５０、２７０、３５０、３７０、ＭＲ１〜ＭＲ８、４５０、４７０
光線：Ｌ１１０、Ｌ２１０、Ｌ２３０、Ｌ２５０、Ｌ２７０、Ｌ３１０、Ｌ３３０、Ｌ１、Ｌ２、Ｌ５１１〜Ｌ５１４
反射光：Ｌ１３０、Ｌ１５０、Ｌ３５０、Ｌ３７０、Ｌ４５０、Ｌ４７０
角度：θ１、θ２
隔離装置：１７０、３９０、４９０
制御装置：２１０、２３０、ＥＭ１〜ＥＭ８
マッピング範囲：Ｐ３５０、Ｐ３７０
レシーバ：４１０、４３０
電子システム：５００
発射モジュール：５１０
受信モジュール：５３０
【図１】
2011061782.tif 000003
【図２】
2011061782.tif 000004
【図３】
2011061782.tif 000005
【図４】
2011061782.tif 000006
【図５】
2011061782.tif 000007
【図６】
2011061782.tif 000008
【図７】
2011061782.tif 000009
【図８】
2011061782.tif 000010
【図９】
2011061782.tif 000011